(57)【要約】【課題】インプラントと椎体のブリッジボーンによる接合を適正に行う。【解決手段】上下に隣り合う椎体どうしの間に配置され、当該椎体どうしの間に露出される左右の露出面１４、１５側に開口部１４ａ、１５ａが形成されたインプラント１と、開口部を介して挿入されてインプラントに取り付けられる生体適合性材料から構成された人工骨２とを備えるインプラント装置１００である。人工骨は、インプラントの先端面１６側になるにつれて断面形状が狭くなるように略円錐台形状に形成され、その両端部が左右の露出面よりも外側に突出された状態となるように、開口部の縁部に外面部２１が係止されて取り付けられている。【選択図】図１
2006181238.tif 000002
【特許請求の範囲】
【請求項１】
隣り合う椎体どうしの間に配置され、少なくとも前記椎体どうしの間に露出される露出面側に開口部が形成されたインプラントと、前記開口部を介して挿入されて前記インプラントに取り付けられる生体適合性材料から構成された人工骨とを備えるインプラント装置であって、
前記人工骨は、前記インプラントに対して挿入される先端側になるにつれて断面形状が狭くなるような形状に形成され、その両端部が前記露出面よりも外側に突出された状態となるように、その外面部が前記開口部の縁部に係止されて取り付けられてなることを特徴とするインプラント装置。
【請求項２】
隣り合う椎体どうしの間に配置されるインプラントと、当該インプラントに取り付けられる生体適合性材料から構成された人工骨とを備えるインプラント装置であって、
前記インプラントの少なくとも前記椎体どうしの間に露出される露出面側に、当該露出面から前記人工骨の表面を露出させるように当該人工骨が配設されていることを特徴とするインプラント装置。
【請求項３】
前記インプラントは、樹脂製であり、且つ、放射線不透過性を有する金属粉末が含有されてなることを特徴とする請求項１又は２に記載のインプラント装置。
【請求項４】
前記金属粉末の粒径は、１５〜１５０［μｍ］であることを特徴とする請求項４に記載のインプラント装置。
【請求項５】
前記金属粉末は、前記インプラントの重量を基準にして０．５〜４０％の割合で含有されていることを特徴とする請求項３又は４に記載のインプラント装置。
【請求項６】
隣り合う椎体どうしの間に挿入されて配置される樹脂製のインプラントを備えるインプラント装置であって、
前記インプラントは、
前記椎体の各々に接触する鋸歯状の第一の接触面及び第二の接触面と、
前記第一の接触面及び前記第二の接触面の少なくとも何れか一方の当該インプラント装置の挿入方向に交わる方向に亘って当該接触面の表面から内側に向かって形成された切り込み部と、を有し、
前記接触面の鋸歯状部分よりも内側にて前記椎体側に表面を露出させて配設された生体適合性材料からなる人工骨を備えることを特徴とするインプラント装置。
【請求項７】
前記人工骨は、少なくとも表面側に微小な空隙を有する多孔質層が設けられてなることを特徴とする請求項１〜６の何れか一項に記載のインプラント装置。
【請求項８】
前記空隙の直径は、１００〜５００［μｍ］であることを特徴とする請求項７に記載のインプラント装置。
【請求項９】
隣り合う椎体どうしの間に配置される樹脂製のインプラントを備えるインプラント装置であって、
前記インプラントの少なくとも前記椎体どうしの間に露出される露出面側に、当該露出面から表面を露出させて生体適合性材料からなる人工骨部が一体となって成形されていることを特徴とするインプラント装置。
【請求項１０】
隣り合う椎体どうしの間に配置される樹脂製のインプラントであって、
放射線不透過性を有する金属粉末が含有されてなることを特徴とするインプラント。
【請求項１１】
隣り合う椎体どうしの間に配置されるインプラントの少なくとも前記椎体どうしの間に露出される露出面側の開口部を介して挿入され前記インプラントに取り付けられるインプラント用の人工骨であって、
生体適合性材料から構成されるとともに、前記インプラントに対して挿入される先端側になるにつれて断面形状が狭くなるような形状に形成され、その両端部が前記露出面よりも外側に突出された状態となるように、その外面部が前記開口部の縁部に係止されて取り付けられることを特徴とするインプラント用の人工骨。
【発明の詳細な説明】
【技術分野】
【０００１】
本発明は、上下に隣り合う椎体どうしの間に挿入されて配置されるインプラント装置、インプラント及びインプラント用の人工骨に関する。
【背景技術】
【０００２】
従来より、椎間板ヘルニア等の脊椎疾患において、自家骨欠損部の補填や運動機能維持を目的として、上下に隣り合う椎体どうしの間、即ち、椎間にインプラントを挿入する治療方法が行われている（例えば、特許文献１参照。）。
ところで、インプラントと椎体との癒合が適正に行われないと、補填後の患者の生活活動に伴う運動により所定位置からずれる、所謂、脱転が発生する虞がある。この場合、インプラントとしての機能を適正に確保することができないために、再手術を行う必要性が生じることとなる。従って、インプラントと椎体等の周囲の骨組織との確実な固定が不可欠となっている。
【０００３】
周囲の骨組織とインプラントとの固定の強度を向上させる上で、当該インプラントを中空状に形成し、その内側に骨を成長させるようにしたものが知られている。さらに、インプラントの内側に対する骨の成長を促して当該骨との接触面積を大きくするために、当該インプラントの内側に自家骨や他家骨、また生体適合性セラミックス等からなる人工骨等の移植骨を配置したものも提案されている。
【特許文献１】特表２００４−５２６５０６号公報
【発明の開示】
【発明が解決しようとする課題】
【０００４】
ところで、移植骨をインプラントの内側に十分に補填しても、内側にはストレスが掛からないため、補填された移植骨は生体内に吸収されてしまい、骨の成長が適正に行われない場合がある。そこで、インプラントの周囲に細かく砕いた移植骨を補填することより、インプラントの周囲での骨の成長を促して当該インプラントと周囲の骨組織とを橋渡しする、所謂、ブリッジボーンを形成して接合する方法が提案されている。
しかしながら、ブリッジボーンによりインプラントと周囲の骨組織とを接合するためには、移植骨をインプラントの周囲の所定位置に適正に補填する必要がある。つまり、補填された移植骨によって椎間に新生骨が形成されて、当該新生骨からなるブリッジボーンにより上下の椎体とインプラントとがしっかりと固定される必要があるが、インプラントの周囲の所定位置に移植骨が補填されないと、新生骨がインプラントから離れた位置に形成されてしまい、インプラントと椎体との接合に役立たないこととなる。
このように、移植骨の補填を適正に行う必要があるが、当該作業は手術医の高度な技術と経験を必要とし、さらに、手術時間も長時間要してしまうといった問題がある。
【０００５】
また、インプラントを樹脂製とすると、例えば、患者の生体内に配設されたインプラントが所定の配設位置からずれた場合に、放射線撮影画像において当該インプラントの位置を適正に判断することができず、このために、インプラントの位置の確認を目的として再手術を行う必要が生じるといった問題もある。この場合、患者にさらに負担を強いることとなることから、インプラントと椎体との接合がより強固に行われることが切望されている。
【０００６】
そこで、本発明の課題は、インプラントと椎体とのブリッジボーンによる接合を適正に行うことができるインプラント装置、インプラント及びインプラント用の人工骨を提供することである。
【課題を解決するための手段】
【０００７】
上記課題を解決するため、請求項１に記載の発明は、
隣り合う椎体どうしの間に配置され、少なくとも前記椎体どうしの間に露出される露出面側に開口部が形成されたインプラントと、前記開口部を介して挿入されて前記インプラントに取り付けられる生体適合性材料から構成された人工骨とを備えるインプラント装置であって、
前記人工骨は、前記インプラントに対して挿入される先端側になるにつれて断面形状が狭くなるような形状に形成され、その両端部が前記露出面よりも外側に突出された状態となるように、その外面部が前記開口部の縁部に係止されて取り付けられてなることを特徴としている。
【０００８】
請求項２に記載の発明は、
隣り合う椎体どうしの間に配置されるインプラントと、当該インプラントに取り付けられる生体適合性材料から構成された人工骨とを備えるインプラント装置であって、
前記インプラントの少なくとも前記椎体どうしの間に露出される露出面側に、当該露出面から前記人工骨の表面を露出させるように当該人工骨が配設されていることを特徴としている。
【０００９】
請求項３に記載の発明は、請求項１又は２に記載のインプラント装置において、
前記インプラントは、樹脂製であり、且つ、放射線不透過性を有する金属粉末が含有されてなることを特徴としている。
【００１０】
請求項４に記載の発明は、請求項３に記載のインプラント装置において、
前記金属粉末の粒径は、１５〜１５０［μｍ］であることを特徴としている。
【００１１】
請求項５に記載の発明は、請求項３又は４に記載のインプラント装置において、
前記金属粉末は、前記インプラントの重量を基準にして０．５〜４０％の割合で含有されていることを特徴としている。
【００１２】
請求項６に記載の発明は、
隣り合う椎体どうしの間に挿入されて配置される樹脂製のインプラントを備えるインプラント装置であって、
前記インプラントは、
前記椎体の各々に接触する鋸歯状の第一の接触面及び第二の接触面と、
前記第一の接触面及び前記第二の接触面の少なくとも何れか一方の当該インプラント装置の挿入方向に交わる方向に亘って当該接触面の表面から内側に向かって形成された切り込み部と、を有し、
前記接触面の鋸歯状部分よりも内側にて前記椎体側に表面を露出させて配設された生体適合性材料からなる人工骨を備えることを特徴としている。
【００１３】
請求項７に記載の発明は、請求項１〜６の何れか一項に記載のインプラント装置において、
前記人工骨は、少なくとも表面側に微小な空隙を有する多孔質層が設けられてなることを特徴としている。
【００１４】
請求項８に記載の発明は、請求項７に記載のインプラント装置において、
前記空隙の直径は、１００〜５００［μｍ］であることを特徴としている。
【００１５】
請求項９に記載の発明は、
隣り合う椎体どうしの間に配置される樹脂製のインプラントを備えるインプラント装置であって、
前記インプラントの少なくとも前記椎体どうしの間に露出される露出面側に、当該露出面から表面を露出させて生体適合性材料からなる人工骨部が一体となって成形されていることを特徴としている。
【００１６】
請求項１０に記載の発明は、
隣り合う椎体どうしの間に配置される樹脂製のインプラントであって、
放射線不透過性を有する金属粉末が含有されてなることを特徴としている。
【００１７】
請求項１１に記載の発明は、
隣り合う椎体どうしの間に配置されるインプラントの少なくとも前記椎体どうしの間に露出される露出面側の開口部を介して挿入され前記インプラントに取り付けられるインプラント用の人工骨であって、
生体適合性材料から構成されるとともに、前記インプラントに対して挿入される先端側になるにつれて断面形状が狭くなるような形状に形成され、その両端部が前記露出面よりも外側に突出された状態となるように、その外面部が前記開口部の縁部に係止されて取り付けられることを特徴としている。
【発明の効果】
【００１８】
請求項１に記載の発明によれば、椎間に配置されるインプラント装置を構成する人工骨は、インプラントに対して挿入される先端側になるにつれて断面形状が狭くなるような形状に形成され、その両端部がインプラントの椎間に露出される露出面よりも外側に突出された状態となるように、当該人工骨の外面部が開口部の縁部に係止されて取り付けられている。従って、インプラントに対する人工骨の取り付けを簡便に行うことができ、当該人工骨の椎間に対する補填を適正に、且つ、簡便に行うことができることとなって、これにより、椎体の骨組織から新生骨が成長してきて人工骨の骨伝導能により当該人工骨と新生骨とが接合され、インプラント装置と椎体とのブリッジボーンによる接合を適正に行うことができる。
特に、人工骨がインプラントの露出面よりも外側、即ち、椎間側に突出された状態となるので、椎体の骨組織から成長してくる新生骨が人工骨に到達し易くなって、当該人工骨と新生骨との接合に掛かる時間を短縮することができる。
【００１９】
請求項２に記載の発明によれば、椎間に配置されるインプラント装置を構成する人工骨は、インプラントの椎体どうしの間に露出される露出面側に、当該露出面から人工骨の表面を露出させるようにして配設されている。従って、人工骨の椎間に対する補填を適正に、且つ、簡便に行うことができることとなって、これにより、椎体の骨組織から新生骨が成長してきて人工骨の骨伝導能により当該人工骨と新生骨とが接合され、インプラント装置と椎体とのブリッジボーンによる接合を適正に行うことができる。  
【００２０】
請求項３に記載の発明によれば、請求項１又は２に記載の発明と同様の効果が得られるのは無論のこと、特に、インプラントは、樹脂製であり、且つ、放射線不透過性を有する金属粉末が含有されているので、生体内にインプラント装置が取り付けられた後の放射線撮影画像において当該インプラント装置の位置を適正に判断することができる。従って、例えば椎間板ヘルニア等の脊椎疾患の患者の治療をより適正に行うことができる。
また、インプラントを樹脂製とすることにより、金属製のものに比べて弾性率等の性質を自家骨等と近似させることができることとなって、材料の機械的強度の違いによりインプラントに隣接する椎体に生じる不均一な応力を軽減することができ、椎体にかかる負荷を軽減することができる。これにより、インプラントと椎体とのブリッジボーンによる接合をより安定的なものとすることができ、当該接合を適正に行うことができる。
【００２１】
請求項４に記載の発明によれば、請求項３に記載の発明と同様の効果が得られるのは無論のこと、特に、金属粉末の粒径は、１５〜１５０［μｍ］となっている。ここで、下限を１５［μｍ］と規定したのは、１５［μｍ］を下回るとインプラントの成形の際の原料の混練において粘性の高い樹脂が金属粉末を十分に取り込むことができずに、当該金属粉末の脱落の虞が生じるためである。また、上限を１５０［μｍ］と規定したのは、１５０［μｍ］を上回ると、原料の混練を適正に行うことができなくなり、混練にムラがある場合には放射線撮影画像において濃度ムラが発生してしまい診断を適正に行うことができなくなるためである。
【００２２】
請求項５に記載の発明によれば、請求項３又は４に記載の発明と同様の効果が得られるのは無論のこと、特に、金属粉末は、インプラントの重量を基準にして０．５〜４０％の割合で含有されている。ここで、下限を０．５％と規定したのは、０．５％を下回ると放射線撮影画像において当該インプラントの位置を適正に判断することができなくなるためである。また、上限を４０％と規定したのは、４０％を上回ると放射線撮影画像においてインプラントの影が濃くなり過ぎてしまい当該インプラントの周囲の組織の診断を適正に行うことができなくなるためである。
【００２３】
請求項６に記載の発明によれば、椎間に配置されるインプラント装置を構成するインプラントは、その椎体の各々に接触する鋸歯状の第一の接触面及び第二の接触面を有し、この第一の接触面及び第二の接触面の少なくとも何れか一方の当該インプラント装置の挿入方向に交わる方向に亘って当該接触面の表面から内側に向かって切り込み部が形成されている。従って、例えば患者の所定の運動に基づいて、インプラント装置が取り付けられた椎体の終板の相対角度が変化した場合であっても、椎体の動きに追随してインプラントが屈曲等して追随することができ、当該インプラント装置が椎体の所定の配設位置からずれるのを防止することができる。
また、インプラントの接触面の鋸歯状部分よりも内側にて椎体側に表面を露出させて人工骨が配設されているので、人工骨の椎間に対する補填を適正に、且つ、簡便に行うことができる。これにより、椎体の骨組織から新生骨が成長してきて人工骨の骨伝導能により当該人工骨と新生骨とが接合されることとなる。ここで、接触面は鋸歯状に形成されていることから、鋸歯状部分の椎体の表面との隙間を介して椎間側からの成長骨が人工骨側に侵入することとなって、当該インプラント装置と椎体とのブリッジボーンによる接合を適正に行うことができる。
さらに、インプラントを樹脂製とすることにより、金属製のものに比べて弾性率等の性質を自家骨等と近似させることができることとなって、材料の機械的強度の違いによりインプラントに隣接する椎体に生じる不均一な応力を軽減することができ、椎体にかかる負荷を軽減することができる。これにより、インプラントと椎体とのブリッジボーンによる接合をより安定的なものとすることができ、当該接合を適正に行うことができる。
【００２４】
請求項７に記載の発明によれば、請求項１〜６に記載の発明と同様の効果が得られるのは無論のこと、特に、人工骨は、少なくとも表面側に微小な空隙を有する多孔質層が設けられているので、人工骨のインプラントに対する取り付けに際して、開口部に押し込まれることにより多孔質部分が潰れて開口部の縁部に係止された状態となり、当該人工骨をインプラントに対して容易に取り付けることができる。また、椎体からの成長骨の骨芽細胞が当該人工骨の内側に対して侵入しやすくなって、インプラント装置と椎体との接合をより適正に行うことができる。
【００２５】
請求項８に記載の発明によれば、請求項７に記載の発明と同様の効果が得られるのは無論のこと、特に、空隙の直径は、１００〜５００［μｍ］である。ここで、下限を１００［μｍ］と規定したのは、１００［μｍ］を下回ると、骨芽細胞の当該人工骨の内側に対する侵入を適正に図ることができないためである。また、上限を５００［μｍ］と規定したのは、５００［μｍ］を上回ると、人工骨に占める空隙の量が多くなりすぎて当該人工骨の強度を適正に維持することができないためである。
【００２６】
請求項９に記載の発明によれば、椎間に配置されるインプラント装置を構成するインプラントの少なくとも椎体どうしの間に露出される露出面側に、当該露出面から表面を露出させて生体適合性材料からなる人工骨部が一体となって成形されている。従って、人工骨部の椎間に対する補填を適正に、且つ、簡便に行うことができることとなって、これにより、椎体の骨組織から新生骨が成長してきて人工骨部の骨伝導能により当該人工骨部と新生骨とが接合されて、インプラント装置と椎体とのブリッジボーンによる接合を適正に行うことができる。
また、インプラントを樹脂製とすることにより、金属製のものに比べて弾性率等の性質を自家骨等と近似させることができることとなって、材料の機械的強度の違いによりインプラントに隣接する椎体に生じる不均一な応力を軽減することができ、椎体にかかる負荷を軽減することができる。これにより、インプラントと椎体とのブリッジボーンによる接合をより安定的なものとすることができ、当該接合を適正に行うことができる。
【００２７】
請求項１０に記載の発明によれば、隣り合う椎体どうしの間に配置される樹脂製のインプラントであって、放射線不透過性を有する金属粉末が含有されている。従って、インプラントを樹脂製とすることにより、金属製のものに比べて弾性率等の性質を自家骨等と近似させることができることとなって、材料の機械的強度の違いによりインプラントに隣接する椎体に生じる不均一な応力を軽減することができ、椎体にかかる負荷を軽減することができる。これにより、インプラントと椎体とのブリッジボーンによる接合をより安定的なものとすることができ、当該接合を適正に行うことができる。
また、インプラントは、放射線不透過性を有する金属粉末が含有されているので、生体内にインプラントが配設された後の放射線撮影画像において当該インプラントの位置を適正に判断することができる。従って、例えば椎間板ヘルニア等の脊椎疾患の患者の治療をより適正に行うことができる。
【００２８】
請求項１１に記載の発明によれば、椎体どうしの間に配置されるインプラントに取り付けられるインプラント用の人工骨であって、このインプラントに対して挿入される先端側になるにつれて断面形状が狭くなるような形状に形成され、その両端部が露出面よりも外側に突出された状態となるように、その外面部が開口部の縁部に係止されて取り付けられる。従って、インプラントに対する人工骨の取り付けを簡便に行うことができ、当該人工骨の椎間に対する補填を適正に、且つ、簡便に行うことができることとなって、これにより、椎体の骨組織から新生骨が成長してきて人工骨の骨伝導能により当該人工骨と新生骨とが接合されて、インプラントと椎体とのブリッジボーンによる接合を適正に行うことができる。
特に、人工骨がインプラントの露出面よりも外側、即ち、椎間側に突出された状態となるので、椎体の骨組織から成長してくる新生骨が人工骨に到達し易くなって、当該人工骨と新生骨との接合に掛かる時間を短縮することができる。
【発明を実施するための最良の形態】
【００２９】
以下に、本発明について、図面を用いて具体的な態様を説明する。ただし、発明の範囲は、図示例に限定されない。
【００３０】
［実施形態１］
図１は、本発明を適用した実施形態１のインプラント装置１００を示す斜視図である。
インプラント装置１００は、例えば、椎間板ヘルニア等の脊椎疾患の患者の上下に隣り合う椎体どうしＶ、Ｖ（図８参照）の間、即ち、椎間Ｓ（図８参照）に配置されるものであり、具体的には、図１に示すように、中空状のインプラント１と、このインプラント１の開口部１４ａ（１５ａ）（後述）を介して挿入されて当該インプラント１に取り付けられる人工骨２とを備えて構成されている。
【００３１】
先ず、インプラント１について図２（ａ）及び図２（ｂ）を参照して説明する。
ここで、図２（ａ）は、インプラント１を示す斜視図であり、図２（ｂ）は、図２（ａ）のＢ−Ｂ線におけるインプラント１の断面図である。
図２（ａ）及び図２（ｂ）に示すように、インプラント１は、所定の樹脂から成形されてなり、当該インプラント１の挿入用の治具が取り付けられる挿入治具取付用ねじ穴１１ａが形成された手前側端面１１と、この手前側端面１１の図２（ａ）における上下の各辺に連続して形成され、上下の椎体Ｖの各々に接触する鋸歯状の上接触面１２及び下接触面１３と、手前側端面１１の図２（ａ）における左右の各辺に連続して形成され、椎間Ｓに露出される左露出面１４（図６参照）及び右露出面１５と、上下の接触面１２、１３及び左右の露出面１４、１５の各々に連続して形成され、挿入される先端部側に位置する先端面１６とを備えて構成されている。
【００３２】
上下の接触面１２、１３は、例えば、先端面１６側になるにつれて近接するように傾斜して形成されており、これにより、椎間Ｓに対する挿入を容易とし、且つ、椎体Ｖの終板に対して当該接触面１２、１３を食い込ませることで、当該インプラント装置１００が配設位置からずれる、所謂、脱転の発生を防止することができる。
さらに、上下の接触面１２、１３の各々には、上下に貫通して略同形状とされる略矩形状の上開口部１２ａ及び下開口部１３ａが形成されており、これにより、当該インプラント１内に対する骨成長を促すようになっている。
【００３３】
左右の露出面１４、１５は、例えば、上下の接触面１２、１３に対して略垂直に形成されるとともに、当該インプラント１の挿入方向に沿って略平行に形成されている。また、左右の露出面１４、１５には、左右に貫通して略同形状とされる略台形状の左開口部１４ａ及び右開口部１５ａが形成されており、これにより、当該インプラント１内に対する骨成長を促すようになっている。
さらに、当該左右の開口部１４ａ、１５ａの少なくとも何れか一方には、その開口部１４ａ（１５ａ）を介して当該インプラント１内に人工骨２が挿入されて取り付けられるようになっている（後述）。なお、当該左右の開口部１４ａ、１５ａには、患者によっては複数の人工骨２、…が挿入される場合もあることから、挿入される人工骨２の本数に応じて所定の寸法に規定されていることが好ましい。
【００３４】
また、樹脂としては、例えば、ポリプロピレン（ＰＰ）、ポリアミド（ＰＡ）、ポリエーテルエーテルケトン（ＰＥＥＫ）、ポリブチレンテレフタレート（ＰＢＴ）、変性ポリフェニレンオキサイド（変性ＰＰＯ／ＰＰＥ）、ポリフェニレンサルファイド（ＰＰＳ）、ポリサルホン（ＰＳＵ）、ポリエーテルサルホン（ＰＥＳ）、ポリアミドイミド（ＰＡＩ）、ポリアリレート（ＰＡＲ）、ポリエーテルイミド（ＰＥＩ）、ポリメチルペンテン（ＴＰＸ）、超高分子量ポリエチレン（ＵＨＭＷ−ＰＥ）等が挙げられる。
【００３５】
なお、インプラント１は、例えば、所定の金型を用いて射出成形や圧縮成形により形成されるようになっている。また、射出成形においては、例えば、原料の熱可塑性のペレット又は粉末を所定の製造器内で加熱により軟化させ、撹拌しながら金型内に流し込んで成形加工を行うようになっている。
【００３６】
次に、人工骨２について図３〜図７を参照して説明する。
ここで、図３（ａ）は、人工骨２を示す正面図であり、図３（ｂ）は、図３（ａ）の人工骨２の側面図である。また、図４（ａ）及び図５（ａ）は、図３（ａ）と異なる人工骨２Ａ、２Ｂの正面図であり、図４（ｂ）及び図５（ｂ）は、図４（ａ）及び図５（ａ）の人工骨２Ａ、２Ｂの側面図である。さらに、図６は、図１のＡ−Ａ線におけるインプラント装置１００の断面図であり、図７は、図６の領域VIIの部分を模式的に示した拡大断面図である。
【００３７】
図３（ａ）及び図３（ｂ）に示すように、人工骨２は、例えば、生体適合性材料からなり、インプラント１の先端面１６側（挿入される先端側）になるにつれて断面形状が狭くなるように略円錐台形状に形成されている。
ここで、人工骨２の軸方向に直交する方向の断面は、インプラント１の開口部１４ａ（１５ａ）に挿入されて配置される上での汎用性を向上させるため、略真円径よりも略楕円形の方が好ましい。即ち、径を異ならせることにより人工骨２の外面部２１と開口部１４ａ（１５ａ）の縁部との係止位置（後述）の微調整を適正に行うことができるためである。
【００３８】
生体適合性材料は、周囲の骨との強固な癒合を行う上では高い骨伝導能を有する材料であることが好ましく、具体的には、例えば、ハイドロキシアパタイト（ＨＡＰ）、β−リン酸三カルシウム（β−ＴＣＰ）等のセラミックスが挙げられる。また、人工骨２は、これらの材料の何れか一つが単体で用いられた単一の成分からなるものであっても良いし、両方を組み合わせたものであっても良い。
さらに、上記のものに加えて、骨形成因子（ＢＭＰなどのサイトカイン）やコラーゲンを混合したものであっても良い。
【００３９】
また、人工骨２は、例えば、図６及び図７に示すように、微小な空隙を有するように多孔質に形成された部材である。即ち、人工骨２の少なくとも表面側には、微小な空隙を有する多孔質層２２（図７参照）が設けられている。
なお、空隙の直径は、例えば、１００〜５００［μｍ］であることが好ましい。ここで、下限を１００［μｍ］と規定したのは、１００［μｍ］を下回ると、骨芽細胞の当該人工骨２の内側に対する侵入（成長）を適正に図ることができないためである。また、上限を５００［μｍ］と規定したのは、５００［μｍ］を上回ると、人工骨２に占める空隙の量が多くなりすぎて当該人工骨２の強度を適正に維持することができないためである。
【００４０】
また、人工骨２は、左右の開口部１４ａ、１５ａを介してインプラント１内に挿入されることにより、開口部１４ａ（１５ａ）の縁部により表面側の多孔質部分（多孔質層２２）が潰されながら押し込まれて、その外面部２１が縁部により係止された状態となって取り付けられるようになっている。
なお、インプラント１に複数の人工骨２、…を挿入する場合には、人工骨２の向きが互い違いとなるように配設しても良い。
また、上記の状態で、人工骨２は、その両端部がインプラント１の左右の露出面１４、１５よりも外側に突出された状態となるようになっている。
【００４１】
上記構成の人工骨２は、例えば、細い方の端面の直径は破砕防止の観点から１．５〜２．５［ｍｍ］に規定され、外面部２１のテーパの角度はインプラント１内に対する挿入し易さの観点から０．５〜２０［°］に規定されている。
また、人工骨２の長さは、破砕防止並びにインプラント１内に対する挿入し易さの観点から当該インプラント１の左右の露出面１４、１５間の距離の４倍以下に規定されている。特に、複数の人工骨２、…をインプラント１内に挿入して取り付ける場合には、人工骨２の長さによってはインプラント１どうしが互いに干渉して破損する虞がある。なお、インプラント１に取り付けられた状態で当該インプラント１の左右の露出面１４、１５からの人工骨２の突出長が長い場合には、長すぎる各端部側を鉗子等により切断することが好ましい。
【００４２】
また、人工骨２の形状は、上記のように円錐台形状に限られるものではなく、軸方向に直交する方向の断面が多角形状を有するものであっても良い。例えば、図４（ａ）及び図４（ｂ）に示すように、略矩形状の断面を有する人工骨２Ａであっても良いし、図５（ａ）及び図５（ｂ）に示すように、略三角形状の断面を有する人工骨２Ｂであっても良い。
また、インプラント１の開口部１４ａ（１５ａ）に挿入されて配置される上での汎用性を向上させるためには、図４（ａ）及び図４（ｂ）における人工骨２Ａの断面を略正方形状とするよりも略長方形とした方が良く、さらに、図５（ａ）及び図５（ｂ）における人工骨２Ｂの断面を略正三角形状とするよりも一辺の長さが各々異なる三角形とした方が良い。
【００４３】
次に、椎間Ｓに対してのインプラント装置１００の配設について図８を参照して説明する。
ここで、図８は、インプラント装置１００が椎間Ｓに配置された状態を模式的に示した断面図である。
【００４４】
インプラント装置１００は、施術時以外においては、インプラント１や人工骨２の破損を防止する上で、インプラント１と人工骨２との係止が解除された状態、即ち、バラバラの状態となっていることが好ましい。
そこで、インプラント装置１００を椎間Ｓに対して挿入する際には、先ず、所定寸法のインプラント１に対して所定の人工骨２を所定数挿入して当該人工骨２が取り付けられたインプラント装置１００を形成する。具体的には、インプラント１の左右の露出面１４、１５に形成された左右の開口部１４ａ、１５ａの何れか一方に対して人工骨２を細い方の端部側から挿入していき、その外面部２１を開口部１４ａ（１５ａ）の縁部に干渉させ、さらに人工骨２を押し込むことで外面部２１の多孔質部分が潰れて開口部１４ａ（１５ａ）の縁部に係止された状態となり、これにより、人工骨２がインプラント１に取り付けられる（図６及び図７参照）。
【００４５】
そして、上記のようにして形成されたインプラント装置１００を、インプラント１の上下の接触面１２、１３を上下の椎体Ｖに接触させるようにして椎間Ｓの所定位置に押し込んで（挿入して）配設する。
【００４６】
このようにして配設されたインプラント装置１００には、その後、椎体Ｖから成長される新生骨の骨芽細胞が椎間Ｓに露出された人工骨２の内側の多孔質部分に侵入していき、さらに、当該人工骨２の骨伝導能によって、人工骨２と新生骨とがブリッジボーンＮを形成することによりインプラント装置１００が周囲の骨組織と接合された状態となる。
なお、図８における図示は省略するが、人工骨２はインプラント１の上下の開口部１２ａ、１３ａを介して上下の椎体Ｖに露出されていることから、当該椎体Ｖから成長される新生骨の骨芽細胞は上下の開口部１２ａ、１３ａを介して人工骨２の内側に侵入して行くようにもなっている。
【００４７】
以上のように、実施形態１のインプラント装置１００によれば、人工骨２は先端面１６側になるにつれて断面形状が狭くなるような形状に形成され、その両端部がインプラント１の左右の露出面１４、１５よりも外側に突出された状態となるように、左右の開口部１４ａ、１５ａの縁部に外面部２１が係止されて取り付けられている。従って、インプラント１に対する人工骨２の取り付けを簡便に行うことができ、当該人工骨２の椎間Ｓに対する補填を適正に、且つ、簡便に行うことができることとなって、これにより、椎体Ｖの骨組織から新生骨が成長してきて人工骨２の骨伝導能により当該人工骨２と新生骨とが接合されて、インプラント装置１００と椎体ＶとのブリッジボーンＮによる接合を適正に行うことができる。
特に、人工骨２がインプラント１の左右の露出面１４、１５よりも外側、即ち、椎間Ｓ側に突出された状態となっているので、椎体Ｖの骨組織から成長してくる新生骨が人工骨２に到達し易くなって、当該人工骨２と新生骨との接合に掛かる時間を短縮することができる。
さらに、インプラント１は樹脂製であるので、金属製のものに比べて弾性率等の性質を自家骨等と近似させることができることとなって、材料の機械的強度の違いによりインプラント１に隣接する椎体Ｖに生じる不均一な応力を軽減することができ、椎体Ｖにかかる負荷を軽減することができる。これにより、インプラント装置１００と椎体ＶとのブリッジボーンＮによる接合をより安定的なものとすることができ、当該接合を適正に行うことができる。
【００４８】
また、人工骨２は微小な空隙を有する多孔質に形成されているので、当該人工骨２のインプラント１に対する取り付けに際して、左右の開口部１４ａ、１５ａに押し込まれることにより多孔質部分が潰れて開口部１４ａ（１５ａ）の縁部に係止された状態となり、人工骨２をインプラント１に対して容易に取り付けることができる。また、椎体Ｖからの成長骨の骨芽細胞が当該人工骨２の内側に対して侵入しやすくなって、インプラント装置１００と椎体Ｖとの接合をより適正に行うことができる。
【００４９】
［実施形態２］
以下に、実施形態２のインプラント装置２００について図９（ａ）〜図９（ｃ）を参照して説明する。
ここで、図９（ａ）は、本発明を適用した実施形態２のインプラント装置２００を示す斜視図であり、図９（ｂ）は、図９（ａ）のＣ−Ｃ線におけるインプラント装置２００の断面図であり、図９（ｃ）は、図９（ａ）のＤ−Ｄ線におけるインプラント装置２００の断面図である。
【００５０】
図９（ａ）〜図９（ｃ）に示すように、実施形態２のインプラント装置２００は、インプラント１の左右の露出面１４、１５に形成された左右の開口部１４ａ、１５ａの形状に対応する断面形状を有する人工骨２０２が挿入されて配設されている。
具体的には、インプラント１の左右の開口部１４ａ、１５ａの寸法よりもわずかに大きい寸法を有する人工骨２０２が左右の露出面１４、１５の開口部１４ａ、１５ａの何れか一方から圧入されてインプラント１に取り付けられた状態となっている。
【００５１】
従って、実施形態２のインプラント装置２００によれば、インプラント１の開口部１４ａ（１５ａ）と人工骨２との接触面積を増やすことができるので、当該人工骨２０２のインプラント１に対する取り付けをより強固に行うことができるとともに、実施形態１のインプラント装置１００に比べて新生骨に接する人工骨２０２の表面積を増加させることができる。この結果、実施形態１と同様に、人工骨２０２の椎間Ｓに対する補填を適正に、且つ、簡便に行うことができることとなって、これにより、インプラント装置２００と椎体ＶとのブリッジボーンＮによる接合を適正に行うことができる。
【００５２】
［実施形態３］
以下に、実施形態３のインプラント装置３００について図１０（ａ）〜図１０（ｃ）を参照して説明する。
ここで、図１０（ａ）は、本発明を適用した実施形態３のインプラント装置３００を示す斜視図であり、図１０（ｂ）は、図１０（ａ）のＥ−Ｅ線におけるインプラント装置３００の断面図であり、図１０（ｃ）は、図１０（ａ）のＦ−Ｆ線におけるインプラント装置３００の断面図である。
【００５３】
図１０（ａ）〜図１０（ｃ）に示すように、実施形態３のインプラント装置３００は、インプラント１の接触面の上下の開口部１２ａ、１３ａ及び露出面の左右の開口部１４ａ、１５ａをそれぞれ塞ぐように、各開口部１２ａ、１３ａ、１４ａ、１５ａの形状に対応する断面形状を有する人工骨３０２２、３０２３、３０２４、３０２５が圧入されて配設されている。
具体的には、インプラント１の左右の開口部１４ａ、１５ａの寸法よりもわずかに大きい寸法を有する左右の人工骨３０２４、３０２５が、左右の露出面１４、１５の開口部１４ａ、１５ａの各々に圧入されてインプラント１に取り付けられ、且つ、インプラント１の上下の開口部１２ａ、１３ａの寸法よりもわずかに大きい寸法を有する上下の人工骨３０２２、３０２３が、上下の接触面１２、１３の開口部１２ａ、１３ａの各々に圧入されてインプラント１に取り付けられた状態となっている。
なお、左右の人工骨３０２４、３０２５は、その外側端部が左右の露出面１４、１５から外側に突出された状態となるように取り付けられ、また、上下の人工骨３０２２、３０２３は、その外側端部が上下の接触面１２、１３の鋸歯状部分よりも内側に配置された状態となるように取り付けられている。これにより、インプラント装置１００が椎間Ｓに取り付けられる際において、上下の椎体Ｖ、Ｖに上下の人工骨３０２２、３０２３が接触しないので、当該上下の人工骨３０２２、３０２３の破損を防止することができる。
【００５４】
以上のように、実施形態３のインプラント装置３００によれば、実施形態１等のインプラント装置１００に比べて椎間Ｓ並びに椎体Ｖ側に露出され、新生骨に接する人工骨３０２２、３０２３、３０２４、３０２５の表面積を増加させることができる。この結果、実施形態１等と同様に、人工骨３０２２、３０２３、３０２４、３０２５２の椎間Ｓに対する補填を適正に、且つ、簡便に行うことができることとなって、これにより、インプラント装置３００と椎体ＶとのブリッジボーンＮによる接合を適正に行うことができる。
【００５５】
［実施形態４］
以下に、実施形態４のインプラント装置４００について図１１（ａ）〜図１１（ｃ）及び図１２を参照して説明する。
ここで、図１１（ａ）は、本発明を適用した実施形態４のインプラント装置４００を示す斜視図であり、図１１（ｂ）は、図１１（ａ）のＧ−Ｇ線におけるインプラント装置４００の断面図であり、図１１（ｃ）は、図１１（ａ）のＩ−Ｉ線におけるインプラント装置４００の断面図である。また、図１２は、インプラント装置４００を椎間Ｓに配置された状態を模式的に示した断面図である。
【００５６】
図１１（ａ）〜図１１（ｃ）に示すように、実施形態４のインプラント装置４００は、インプラント４０１の少なくとも椎間Ｓに露出される露出面１４、１５側に、当該露出面１４、１５から表面を露出させて人工骨（人工骨部）４０２２３、４０２４、４０２５が一体となって成形されている。より具体的には、インプラント４０１には、当該インプラント４０１内にて上下に延在するように所定形状の人工骨４０２２３が一体となって形成されるとともに、左右の露出面１４、１５側の各々に所定形状の人工骨４０２４、４０２５が一体となって成形されている。
【００５７】
ここで、インプラント装置４００の製造方法について説明する。
インプラント装置４００は、上記実施形態１〜３のインプラント１と略同様に、所定の金型を用いて射出成形や圧縮成形により形成され、より具体的には、成形加工前の金型内の所定位置に人工骨４０２２３、４０２４、４０２５を配置してインサート成形により形成されるようになっている。これにより、樹脂製のインプラント４０１に人工骨４０２２３、４０２４、４０２５が埋入されて、当該人工骨４０２２３、４０２４、４０２５の表面がインプラント４０１の上下の接触面１２、１３及び左右の露出面１４、１５から露出された状態でインプラント装置４００が形成されるようになっている。
なお、金型内における人工骨４０２２３、４０２４、４０２５の固定は、金型の所定位置に形成されたピン等の人工骨固定部（図示略）を用いて行われるようになっている。即ち、金型のピンを人工骨４０２２３、４０２４、４０２５の所定位置に形成されたピン挿入穴Ｈに挿入するようにして人工骨２の固定が行われ当該人工骨４０２２３、４０２４、４０２５が所定位置に配設されたインプラント装置４００が形成されることとなる。
【００５８】
また、人工骨４０２２３、４０２４、４０２５のインプラント４０１の樹脂と接する面は、当該樹脂と人工骨４０２２３、４０２４、４０２５との固定強度を向上させるためにアンダーカットとなる設計とすることが好ましい。若しくは、樹脂と接する面を多孔質として、空隙の内部に樹脂を侵入し易くしてアンカー効果により樹脂と人工骨４０２２３、４０２４、４０２５との固定強度の向上を図るようにすることが好ましい。
【００５９】
以上のように、実施形態４のインプラント装置４００によれば、インプラント４０１の上下の接触面１２、１３側及び左右の露出面１４、１５側に、これら上下の接触面１２、１３及び左右の露出面１４、１５から表面を露出させて人工骨４０２２３、４０２４、４０２５が一体となって成形されている。従って、人工骨４０２２３、４０２４、４０２５の椎間Ｓに対する補填を適正に、且つ、簡便に行うことができることとなって、これにより、椎体Ｖの骨組織から新生骨が成長してきて人工骨４０２２３、４０２４、４０２５の骨伝導能により当該人工骨４０２２３、４０２４、４０２５と新生骨とが接合されて、インプラント装置４００と椎体ＶとのブリッジボーンＮによる接合（図１２参照）を適正に行うことができる。
【００６０】
［実施形態５］
以下に、実施形態５のインプラント装置について図１３を参照して説明する。
ここで、図１３は、実施形態５のインプラント装置を構成するインプラント５０１を示す斜視図である。
【００６１】
図１３に示すように、実施形態５のインプラント装置にかかるインプラント５０１は、放射線不透過性を有する所定の金属粉末が含有されている。即ち、インプラント５０１は、例えば、原料の熱可塑性のペレット又は粉末等に所定寸法の金属粉末を所定量混入したものを用いて成形加工が行われることにより形成されている。
【００６２】
ここで、金属粉末としては、例えば、純チタン、チタン合金、タンタル等が挙げられ、また、これらは単体で樹脂に添加されても良いし、少なくとも何れか２つが組み合わされて樹脂に添加されても良い。
【００６３】
金属粉末の粒径は、例えば、１５〜１５０［μｍ］であることが好ましい。
ここで、下限を１５［μｍ］と規定したのは、１５［μｍ］を下回るとインプラント５０１の成形の際の原料の混練において粘性の高い樹脂が金属粉末を十分に取り込むことができずに、当該金属粉末の脱落の虞が生じるためである。また、原料の混練作業において、金属粉末の寸法をあまりにも小さくし過ぎると、当該金属粉末が飛散して、作業者の呼吸器官に吸い込まれて作業者が健康を損なう虞もある。一方、上限を１５０［μｍ］と規定したのは、１５０［μｍ］を上回ると、原料の混練を適正に行うことができなくなり、混練にムラがある場合にはＸ線等の放射線撮影画像において濃度ムラが発生して診断を適正に行うことができなくなるためである。
なお、粒径とは、略球形状の金属粉末にあっては、その直径をいうものとし、また、楕円形状若しくは多角形状の金属粉末にあっては、その長辺の長さをいうものとする。
【００６４】
また、金属粉末は、インプラント５０１を構成する樹脂の重量を基準にして０．５〜４０％の割合で含有されていることが好ましい。
ここで、下限を０．５％と規定したのは、０．５％を下回ると放射線撮影画像において当該インプラント５０１の位置を適正に判断することができなくなるためである。また、上限を４０％と規定したのは、４０％を上回ると放射線撮影画像においてインプラント５０１の影が濃くなり過ぎてしまい当該インプラント５０１の周囲の組織の診断を適正に行うことができなくなるためである。また、原料に対する金属粉末の添加量が多いと、原料の混練を適正に行うことができなくなり、成形されるインプラント５０１の品質を低下させるといった問題も生じるためである。
【００６５】
そこで、上記の各種観点を考慮すると、金属粉末の粒径は、２５〜１００［μｍ］であることが好ましく、且つ、金属粉末の含有量は１〜２０％の割合であることが好ましい。即ち、金属粉末の粒径及び添加量を上記の範囲内とすることにより、樹脂原料内にて金属粉末をムラなく略均等に混練することができ、また、放射線撮影画像における視認性を適正なものとすることができる。
【００６６】
以上のように、実施形態５のインプラント装置によれば、椎間Ｓに配置されるインプラント５０１を樹脂製とすることにより、当該インプラント５０１を金属製としたものに比べて弾性率等の性質を自家骨等と近似させることができることとなって、インプラント５０１と椎体ＶとのブリッジボーンＮによる接合をより適正に行うことができる。
また、インプラント５０１は金属粉末が含有されているので、例えば、生体内に配設されたインプラント５０１が脱転した場合等に、放射線撮影画像において当該インプラント５０１の位置を適正に判断することができる。従って、例えば椎間板ヘルニア等の脊椎疾患の患者の治療をより適正に行うことができる。
【００６７】
なお、本実施形態にあっては、当該インプラント５０１の周囲に人工骨、人家骨や他家骨等の移植骨を配設することにより、当該インプラント装置と椎体Ｖとの接合をより適正に行うことができる。
また、本実施形態のインプラント５０１は、上記実施形態１〜４のインプラント１、４０１の代わりに用いても良い。
【００６８】
［実施形態６］
以下に、実施形態６のインプラント装置６００について図１４（ａ）及び図１４（ｂ）を参照して説明する。
ここで、図１４（ａ）は、本発明を適用した実施形態６のインプラント装置６００を示す斜視図であり、図１４（ｂ）は、図１４（ａ）のＪ−Ｊ線におけるインプラント装置６００の断面図である。
【００６９】
図１４（ａ）及び図１４（ｂ）に示すように、実施形態６のインプラント装置６００は、上接触面１２（第一の接触面）及び下接触面１３（第二の接触面）の少なくとも何れか一方の接触面１２（１３）の当該インプラント装置６００の椎間Ｓに対する挿入方向に略直交する方向に亘って当該接触面１２（１３）の表面から内側に向かって形成された切り込み部６０３を有するインプラント６０１を備え、インプラント６０１の接触面の鋸歯状部分よりも内側に人工骨６０２２、６０２３が表面を露出させて配設されている。
【００７０】
即ち、インプラント６０１の下接触面１３には、当該下接触面１３の表面から内側に向かって当該インプラント装置１００の挿入方向に対して略垂直な切り込み部６０３が二つ形成されている。
また、下接触面１３には、二つの切り込み部６０３、６０３の周囲に当該切り込み部６０３の各々を挟むように開口部６１５ａ、…が形成され、当該開口部６１５ａ、…に所定形状の人工骨６０２３、…が圧入されて配設されている。
【００７１】
以上のように、実施形態６のインプラント装置６００によれば、インプラント６０１の下接触面１３に切り込み部６０３が二つ形成されているので、例えば患者の所定の運動に基づいて、インプラント装置６００が取り付けられた椎体Ｖの終板の相対角度が変化した場合であっても、椎体Ｖの動きに追随してインプラント６０１が屈曲等して追随することができ、当該インプラント装置６００が椎体Ｖの所定の配設位置からずれる脱転を防止することができる。
また、インプラント６０１の上下の接触面１２、１３の鋸歯状部分よりも内側にて椎体Ｖ側に表面を露出させて人工骨６０２２、６０２３が配設されているので、人工骨６０２２、６０２３の椎間Ｓに対する補填を適正に、且つ、簡便に行うことができる。ここで、上下の接触面１２、１３は鋸歯状に形成されていることから、鋸歯状部分の椎体Ｖの表面との隙間を介して椎間Ｓ側からの成長骨が人工骨６０２２、６０２３側に侵入することとなって、当該インプラント装置６００と椎体ＶとのブリッジボーンＮによる接合を適正に行うことができる。
【００７２】
なお、上記実施形態６のインプラント装置６００にあっては、切り込み部６０３として、当該インプラント装置６００の椎間Ｓに対する挿入方向に略直交する方向に形成されたものを例示したが、切り込み部６０３の延在方向はこれに限られるものではなく、例えば、少なくとも挿入方向に交わる方向に延在するように形成されていれば良い。
【００７３】
なお、切り込み部６０３の位置や数は、例えば、患者の症状や椎間Ｓの配設位置等に応じて適宜変更可能となっている。具体的には、図１５（ａ）に示すように、下接触面１３の表面から上側に向かって形成された切り込み部６０３、６０３の間に、上接触面１２の表面から下側に向かって形成された切り込み部６０３を備えるインプラント装置７００であっても良いし、また、図１５（ｂ）に示すように、下接触面１３の表面から上側に向かって形成された切り込み部を三つ設け、上接触面１２の表面から下側に向かって形成された切り込み部を二つ設けたインプラント装置８００であっても良い。
ここで、図１５（ａ）及び図１５（ｂ）にあっては、図１４（ａ）及び図１４（ｂ）と同様に、切り込み部６０３の周囲には人工骨６０２２、６０２３がそれぞれ形成されている。
【００７４】
また、本発明は、上記実施形態に限定されることなく、本発明の趣旨を逸脱しない範囲において、種々の改良並びに設計の変更を行っても良い。
例えば、インプラント１、４０１、５０１、６０１を樹脂製としたが、これに限られるものではなく、例えば、金属製であっても良い。また、インプラント１並びに上下の接触面１２、１３及び左右の露出面１４、１５の各開口部１２ａ、１３ａ、１４ａ、１５ａの形状は、上記実施形態に例示したものに限られるものではない。
【図面の簡単な説明】
【００７５】
【図１】本発明を適用した実施形態１のインプラント装置を示す斜視図である。
【図２】図１のインプラント装置を構成するインプラントを示す図である。
【図３】図１のインプラント装置を構成する人工骨を示す図である。
【図４】図３と異なる人工骨を示す図である。
【図５】図３と異なる人工骨を示す図である。
【図６】図１のＡ−Ａ線におけるインプラント装置の断面図である。
【図７】図６の領域VIIの部分を模式的に示した拡大断面図である。
【図８】図１のインプラント装置が椎間に配置された状態を模式的に示した断面図である。
【図９】本発明を適用した実施形態２のインプラント装置を示す図である。
【図１０】本発明を適用した実施形態３のインプラント装置を示す図である。
【図１１】本発明を適用した実施形態４のインプラント装置を示す図である。
【図１２】図１１のインプラント装置が椎間に配置された状態を模式的に示した断面図である。
【図１３】本発明に係るインプラントの一例を示す斜視図である。
【図１４】本発明を適用した実施形態６のインプラント装置を示す図である。
【図１５】図１４と異なるインプラント装置を示す図である。
【符号の説明】
【００７６】
１００、２００、３００、４００、６００、７００、８００  インプラント装置
１、４０１、５０１、６０１  インプラント
１２    上接触面
１３    下接触面
１４    左露出面
１４ａ  左開口部
１５    右露出面
１５ａ、６１５ａ  右開口部
６０３  切り込み部
２、２Ａ、２Ｂ、２０２、３０２２、３０２３、３０２４、３０２５、４０２２３、４０２４、４０２５、６０２２、６０２３  人工骨（インプラント用の人工骨）
２１    外面部
２２    多孔質層
Ｖ      堆体
Ｓ      椎間
【図１】
2006181238.tif 000003
【図２】
2006181238.tif 000004
【図３】
2006181238.tif 000005
【図４】
2006181238.tif 000006
【図５】
2006181238.tif 000007
【図６】
2006181238.tif 000008
【図７】
2006181238.tif 000009
【図８】
2006181238.tif 000010
【図９】
2006181238.tif 000011
【図１０】
2006181238.tif 000012
【図１１】
2006181238.tif 000013
【図１２】
2006181238.tif 000014
【図１３】
2006181238.tif 000015
【図１４】
2006181238.tif 000016
【図１５】
2006181238.tif 000017